(57)【要約】【課題】  どのような場所であっても使用できる携帯可能な足枕装置を提供することである。【解決手段】  正三角柱の形状に形作られた本体（１２）と、本体よりも僅かに小さな相似形に形作られ、本体内に入れ子式に収容される第１収容部（１４）と、第１収容部よりも僅かに小さな相似形に形作られ、第１収容部内に入れ子式に収容される第２収容部（１６）と、第２収容部よりも僅かに小さな相似形に形作られ、第２収容部内に入れ子式に収容される第３収容部（１８）と、第３収容部よりも僅かに小さな相似形に形作られ、第３収容部内に入れ子式に収容される第４収容部（２０）とを備え、使用時に各収容部を引き出すことができるように構成されていることを特徴とする足枕装置（１０）。【選択図】  図１
0003176315.tif 000002
【実用新案登録請求の範囲】
【請求項１】
正三角柱の形状に形作られた本体と、
前記本体よりも僅かに小さな相似形に形作られ、前記本体内に入れ子式に収容される第１収容部と、
前記第１収容部よりも僅かに小さな相似形に形作られ、前記第１収容部内に入れ子式に収容される第２収容部と、
前記第２収容部よりも僅かに小さな相似形に形作られ、前記第２収容部内に入れ子式に収容される第３収容部と、
前記第３収容部よりも僅かに小さな相似形に形作られ、前記第３収容部内に入れ子式に収容される第４収容部とを備え、
使用時に前記第１収容部、前記第２収容部、前記第３収容部、及び前記第４収容部を引き出すことができるように構成されていることを特徴とする足枕装置。
【請求項２】
前記本体の三角柱の稜線に丸みが付けられていることを特徴とする請求項１に記載された足枕装置。
【考案の詳細な説明】
【技術分野】
【０００１】
本考案は一般に、足を置く足受け台となる足枕装置に関する。より詳細には、本考案は、携帯可能な足枕装置に関する。本考案の足枕装置は、デスクワーク時に使用される他、電車や航空機などの乗物に乗車中に使用することもできる。
【背景技術】
【０００２】
椅子に座ったときに身体の姿勢を快適に保つことができるように、足を置くための足受け台が種々の型式（例えば、デスクの下部に取り付けられた足架け棒、椅子に取り付けられた足架け棒、デスクの下部に配置される箱型の足置き台、椅子に下部に取り付けられたリング状の足掛け具など）で提案されている。
【考案の概要】
【考案が解決しようとする課題】
【０００３】
しかしながら、上述の従来の足受け台は、デスクや椅子に取り付けられているため、持ち運びできないという不都合があった。また、これらの足受け台は、使用者に合った高さに調整することができないという不都合もあった。
【０００４】
本考案は、このような状況に鑑みて案出されたものであって、どのような場所であっても使用できる携帯可能な足枕装置を提供することを目的としている。
【課題を解決するための手段】
【０００５】
本願請求項１に記載の足枕装置は、正三角柱の形状に形作られた本体と、前記本体よりも僅かに小さな相似形に形作られ、前記本体内に入れ子式に収容される第１収容部と、前記第１収容部よりも僅かに小さな相似形に形作られ、前記第１収容部内に入れ子式に収容される第２収容部と、前記第２収容部よりも僅かに小さな相似形に形作られ、前記第２収容部内に入れ子式に収容される第３収容部と、前記第３収容部よりも僅かに小さな相似形に形作られ、前記第３収容部内に入れ子式に収容される第４収容部とを備え、使用時に前記第１収容部、前記第２収容部、前記第３収容部、及び前記第４収容部を引き出すことができるように構成されていることを特徴とするものである。
【０００６】
本願請求項２に記載の足枕装置は、前記請求項１の装置において、前記本体の三角柱の稜線に丸みが付けられていることを特徴とするものである。
【考案の効果】
【０００７】
本考案の足枕装置によれば、不使用時にはコンパクトな形態に収容しておくことにより、携帯可能にすることができる。また、本考案の足枕装置は、合成樹脂材料で作られているので、軽量であるとともに、再生資材を活用すれば、資源の有効利用に資することもできる。さらに、本考案の足枕装置は、足受け台として使用することができるとともに、本体の稜線に足裏を押し当てることにより、いわゆる足踏み装置としても使用することができる。
【図面の簡単な説明】
【０００８】
【図１】本考案の好ましい実施の形態に係る足枕装置を示した斜視図である。
【図２】図１の足枕装置の分解斜視図である。
【図３】図１の足枕装置を伸長状態にした斜視図である。
【図４】図１の足枕装置の脱落防止用突起を説明するための拡大断面図である。
【図５】本考案の別の好ましい実施の形態に係る足枕装置を示した斜視図である。
【考案を実施するための形態】
【０００９】
次に添付図面を参照して、本考案の好ましい実施の形態に係る足枕装置について詳細に説明する。図１は、本考案の好ましい実施の形態に係る足枕装置を示した斜視図、図２は、図１の足枕装置の分解斜視図である。図１において全体として参照符号１０で示される足枕装置は、正三角柱の形状に形作られた本体１２を備えている。すなわち、本体１２は、３枚の矩形のプレート１２Ａ、１２Ｂ、１２Ｃ（図２参照）を各縁部において連結することによって、正三角柱の形状に形作られている。
【００１０】
好ましくは、足枕装置１０を軽量にするため、本体１２を形作るプレート１２Ａ、１２Ｂ、１２Ｃが、プラスチック等の合成樹脂材料で一体に形成されている。
【００１１】
足枕装置１０はまた、本体１２内に入れ子式に収容される第１収容部１４を備えている。第１収容部１４は、本体１２よりも僅かに小さな相似形に形作られている。第１収容部１４の端部には突起１４ａが形成されており、第１収容部１４を本体１２から引き出したときに本体１２の端部に設けられた突起１２ｂと係合することによって、第１収容部１４が本体１２から脱落しないようになっている（図４参照）。
【００１２】
足枕装置１０はさらに、第１収容部１４内に入れ子式に収容される第２収容部１６と、第２収容部１６内に入れ子式に収容される第３収容部１８と、第３収容部１８内に入れ子式に収容される第４収容部２０とを備えている。第２収容部１６、第３収容部１８、及び第４収容部２０はそれぞれ、第１収容部１４、第２収容部１６、及び第３収容部１８よりも僅かに小さな相似形に形作られており、脱落防止用の突起１４ｂ、１６ａ、１６ｂ、１８ａ、１８ｂ、２０ａが設けられている。
【００１３】
また、好ましくは、第１収容部１４、第２収容部１６、第３収容部１８、及び第４収容部２０は、本体１２と同様に、プラスチック等の合成樹脂材料で一体に形成されている。
【００１４】
さらに、好ましくは、足に鋭利な部分が当たるのを避けるため、本体１２の三角柱の稜線に丸みを付けてもよい。図５は、そのような形態の足枕装置１０′が示されている。
【００１５】
以上のように構成された足枕装置１０の使用について説明する。足枕装置１０を使用する際には、図３に示されるように、各収容部１４、１６、１８、２０を引き出して装置１０を床に置き、その上にに足を載せて足受け台とする。また、本体の稜線に足裏を押しつければ、足踏み装置としても使用することができる。不使用時には、各収容部１４、１６、１８、２０を順次収容して、図１に示すようなコンパクトな形態にして、保管し又は携行する。
【００１６】
本考案は、以上の考案の実施の形態に限定されることなく、実用新案登録請求の範囲に記載された考案の範囲内で、種々の変更が可能であり、それらも本考案の範囲内に包含されるものであることはいうまでもない。
【００１７】
たとえば、前記実施の形態では、４つの収容部１４、１６、１８、２０が全て引き出された状態で使用されているが、使用場所や使用態様に応じて、各収容部の一部のみを引き出して使用してもよい。また、脱落防止用の突起の詳細についても、収容部の脱落を防止することができるものであれば、図示したものに限定されるものではない。
【符号の説明】
【００１８】
１０、１０′  足枕装置
１２  本体
１４  第１収容部
１６  第２収容部
１８  第３収容部
２０  第４収容部
【図１】
0003176315.tif 000003
【図２】
0003176315.tif 000004
【図３】
0003176315.tif 000005
【図４】
0003176315.tif 000006
【図５】
0003176315.tif 000007